(57)【要約】【課題】孔版印刷を行なうのに際して、適切なプリンタドライバをユーザが選択する煩雑さがなく、双方向インターフェイスを用いることなく、美しい画像を作成することができるようにする。【解決手段】印刷要求を行なうと（ステップＳ１のＹ）、仮想プリンタドライバは、その登録されている複数のプリンタドライバを順次切換えながら、ページバッファ２４に作成した画像データをもとに、各プリンタドライバでそれぞれ印刷ジョブを発行する（ステップＳ４）。この際、各プリンタドライバで使用可能な孔版印刷機の機種を示す識別情報である機種種別ＩＤを各印刷ジョブに付与する。そして、各プリンタドライバの発行した各印刷ジョブについて、これらの印刷ジョブの印刷データを連結して単一の印刷ジョブとし、時系列的に特定の物理ポートに出力する（ステップＳ５）。【選択図】    図３
2004152208.tif 000002
【特許請求の範囲】
【請求項１】
ユーザからの印刷ジョブの実行の要求があったときは、異なる孔版印刷機に各々対応している複数のプリンタドライバに印刷ジョブを発行させる印刷ジョブ発行手段と、
この各プリンタドライバが発行した印刷ジョブの印刷データに対して、その各印刷ジョブを発行した前記プリンタドライバが対応している前記孔版印刷機の機種を示す識別情報である機種識別ＩＤを付して、この各印刷データを一つの印刷ジョブに結合する結合手段と、
を備えている情報処理装置。
【請求項２】
前記結合手段は、前記結合してなる一つの印刷ジョブに対し、当該印刷ジョブを識別する識別情報であるジョブＩＤも付するものである、請求項１に記載の情報処理装置。
【請求項３】
印刷ジョブの実行を要求されたときは、その印刷ジョブに含まれている複数の印刷データに各々付され当該印刷データで印刷できる孔版印刷機の機種を示す識別情報である機種種別ＩＤから本機で印刷ができる印刷データを判定する第１の判定手段と、
この印刷データに基づく孔版印刷を実行する印刷エンジンと、
を備えている孔版印刷機。
【請求項４】
前記第１の判定手段により本機で印刷ができると判定した前記印刷データをメモリに記憶する記憶手段と、
前記メモリに記憶されている前記印刷データについてユーザから印刷の実行の指示を受付ける第１の受付手段と、
この指示を受付けたときは当該印刷データに基づく孔版印刷を前記印刷エンジンにより行なう印刷手段と、
を備えている請求項３に記載の孔版印刷機。
【請求項５】
前記第１の判定手段により本機で印刷ができると判定した前記印刷データを含む前記印刷ジョブを記憶する記憶手段と、
前記メモリに記憶されている前記印刷ジョブについてユーザから印刷の実行の指示を受付ける第１の受付手段と、
この指示を受付けたときは当該印刷データに基づく孔版印刷を前記印刷エンジンにより行なう印刷手段と、
を備えている請求項３に記載の孔版印刷機。
【請求項６】
前記メモリに記憶されている前記印刷データについてユーザから他の孔版印刷機を指定して出力する指示を受付ける第２の受付手段と、
この指示を受付けたときは当該印刷データを前記指定された孔版印刷機に出力する送信手段と、
を備えている請求項４に記載の孔版印刷機。
【請求項７】
前記メモリに記憶されている前記印刷ジョブについてユーザから他の孔版印刷機を指定して出力する指示を受付ける第２の受付手段と、
この指示を受付けたときは当該印刷ジョブを前記指定された孔版印刷機に出力する送信手段と、
を備えている請求項５に記載の孔版印刷機。
【請求項８】
前記第２の受付手段は、孔版印刷機の機種を示す識別情報である機種識別ＩＤの指定も受付けるものであり、
前記送信手段は、前記印刷ジョブの出力に代えて当該印刷ジョブ中で前記機種ＩＤにより指定された印刷データを前記指定された孔版印刷機に出力する、
請求項７に記載の孔版印刷機。
【請求項９】
前記メモリに記憶されている前記印刷ジョブについて、孔版印刷機の機種を示す識別情報である機種識別ＩＤ及び印刷ジョブを識別する識別情報であるジョブＩＤを指定して、ユーザから他の孔版印刷機を指定して出力する指示を受付ける第２の受付手段と、
この指示を受付けたときは前記メモリに記憶されている前記各印刷ジョブのうち前記機種識別ＩＤ及びジョブＩＤが付されている印刷データを前記指定された孔版印刷機に出力する送信手段と、
を備えている請求項５に記載の孔版印刷機。
【請求項１０】
請求項１又は２に記載の情報処理装置と、
この情報処理装置とネットワークで接続されている請求項３〜８の何れかの一に記載の孔版印刷機と、
を備えている印刷システム。
【請求項１１】
請求項２に記載の情報処理装置と、
この情報処理装置とネットワークで接続されている請求項９に記載の孔版印刷機と、
を備えている印刷システム。
【請求項１２】
ユーザからの印刷ジョブの実行の要求があったときは、異なる孔版印刷機に各々対応している複数のプリンタドライバに印刷ジョブを発行させる印刷ジョブ発行処理と、
この各プリンタドライバが発行した印刷ジョブの印刷データに対して、その各印刷ジョブを発行した前記プリンタドライバが対応している前記孔版印刷機の機種を示す識別情報である機種識別ＩＤを付して、この各印刷データを一つの印刷ジョブに結合する結合処理と、
をコンピュータに実行させるコンピュータに読取り可能なプログラム。
【請求項１３】
前記結合処理は、前記結合してなる一つの印刷ジョブに対し、当該印刷ジョブを識別する識別情報であるジョブＩＤも付するものである、請求項１２に記載のプログラム。
【発明の詳細な説明】
【０００１】
【発明の属する技術分野】
本発明は、孔版印刷を行なうための情報処理装置、孔版印刷機、印刷システム及びプログラムに関する。
【０００２】
【従来の技術】
特許文献１には、印刷に先立って、選択されたプリンタの特性を調査し、そのプリンタに適したプリンタドライバにより最適な解像度データを生成する技術が開示されている。
【０００３】
特許文献２には、１ページ分のデータをバンディング処理により複数のデータに分割し、それぞれの分割データから複数の解像度データを生成させる技術が開示されている。
【０００４】
特許文献３には、選択可能な解像度ごとにプリンタが印刷すべき印刷幅に従うデータ量に基づくデータ転送速度をそれぞれ導出し、導出される解像度別の各データ転送速度と測定したデータ転送速度とを比較して、プリンタに対して最適な解像度を切換え設定する技術が開示されている。
【０００５】
【特許文献１】特開２００１−２０２２１４公報
【特許文献２】特開平１１−１９１０５５号公報
【特許文献３】特開平９−３３０１８６号公報
【発明が解決しようとする課題】
従来、孔版印刷機のように製版の手段としてサーマルヘッドを使用するような装置においては、その製版の解像度は搭載するサーマルヘッドの仕様に応じて固定されていた。すなわち、３ＯＯｄｐｉのサーマルヘッドを搭載した機種の主走査解像度は３００ｄｐｉ固定であり、４００ｄｐｉのサーマルヘッドを搭載した機種の主走査解像度は４００ｄｐｉ固定である（ここで主走査解像度と断っているのは、副走査解像度がサーマルヘッドの解像度に依存せず、版の送り速度と画素データの密度に依存するためである）。一方、パーソナルコンピュータ（ＰＣ）から孔版印刷機に印刷データを出力する場合、出力しようとする孔版印刷機に適合したプリンタドライバを選択し、出力しようとする孔版印刷機に適合した印刷データを作成する必要がある。例えば、６００ｄｐｉの孔版印刷機に対しては６００ｄｐｉのプリンタドライバを選択する必要がある。
【０００６】
しかしながら、一般に、ＰＣで作成された印刷データは解像度に依存しており、一度作成されれば異なる解像度の孔版印刷機に出力する際には、再度その孔版印刷機に適合したプリンタドライバで印刷データを作成しなおす必要がある。
【０００７】
そのため、プリンタドライバの選択を誤って異なる解像度の孔版印刷機に印刷データを出力した場合、一度出力した印刷ジョブをキャンセルし、再度適切なプリンタドライバを選択して、再度ＰＣから印刷データを出力する必要がある。
【０００８】
このような不具合の解決手段として考えられるのは以下の手段である。
【０００９】
▲１▼．まず、ＰＣから与えられた印刷データと孔版印刷機の解像度が適合しない場合に、孔版印刷機又はＰＣ側で補間ないしは間引きなどの処理を行って、解像度の整合を取ることが考えられる。
【００１０】
▲２▼．また、前もってＰＣ側から使用可能な孔版印刷機をモニタし、実際に使用可能な孔版印刷機用のプリンタドライバを自動的に選択させることにより、ＰＣから出力された後の再出力を回避することが考えられる。
【００１１】
しかしながら、前記▲１▼の手段は、印刷データの加工が生じるために、見た目の精細さが劣化したり、線のつながりが不自然になるなど、作成後の画像について美しさが損なわれやすいという不具合がある。
【００１２】
また、▲２▼の手段では、ＰＣは、常に出力先の孔版印刷機をモニタする必要があり、ＰＣと孔版印刷機との間には、必ず双方向インターフェイスを用いる必要があるという不具合がある。特許文献１に開示の技術においても、双方向インターフェイスが必要である。
【００１３】
なお、特許文献２，３に開示の技術は、プリンタの解像度が固定ではなく、複数の解像度に対応している場合を前提とした技術である。
【００１４】
本発明の目的は、孔版印刷を行なうのに際して、適切なプリンタドライバをユーザが選択する煩雑さがなく、双方向インターフェイスを用いることなく、美しい画像を作成することができるようにすることである。
【００１５】
【課題を解決するための手段】
請求項１に記載の発明は、ユーザからの印刷ジョブの実行の要求があったときは、異なる孔版印刷機に各々対応している複数のプリンタドライバに印刷ジョブを発行させる印刷ジョブ発行手段と、この各プリンタドライバが発行した印刷ジョブの印刷データに対して、その各印刷ジョブを発行した前記プリンタドライバが対応している前記孔版印刷機の機種を示す識別情報である機種識別ＩＤを付して、この各印刷データを一つの印刷ジョブに結合する結合手段と、を備えている情報処理装置である。
【００１６】
したがって、結合した印刷ジョブを孔版印刷機に送信すれば、その孔版印刷機に適合した印刷データを孔版印刷機側で選択して用いることができるので、適切なプリンタドライバをユーザが選択する煩雑さがなく、双方向インターフェイスを用いることなく、美しい画像を作成することができる。
【００１７】
請求項２に記載の発明は、請求項１に記載の情報処理装置において、前記結合手段は、前記結合してなる一つの印刷ジョブに対し、当該印刷ジョブを識別する識別情報であるジョブＩＤも付するものである。
【００１８】
したがって、各印刷ジョブをジョブＩＤで識別することができる。
【００１９】
請求項３に記載の発明は、印刷ジョブの実行を要求されたときは、その印刷ジョブに含まれている複数の印刷データに各々付され当該印刷データで印刷できる孔版印刷機の機種を示す識別情報である機種種別ＩＤから本機で印刷ができる印刷データを判定する第１の判定手段と、この印刷データに基づく孔版印刷を実行する印刷エンジンと、を備えている孔版印刷機である。
【００２０】
したがって、印刷ジョブから、本機に適合した印刷データを選択して用いることができるので、適切なプリンタドライバをユーザが選択する煩雑さがなく、双方向インターフェイスを用いることなく、美しい画像を作成することができる。
【００２１】
請求項４に記載の発明は、請求項３に記載の孔版印刷機において、前記第１の判定手段により本機で印刷ができると判定した前記印刷データをメモリに記憶する記憶手段と、前記メモリに記憶されている前記印刷データについてユーザから印刷の実行の指示を受付ける第１の受付手段と、この指示を受付けたときは当該印刷データに基づく孔版印刷を前記印刷エンジンにより行なう印刷手段と、を備えている。
【００２２】
したがって、外部から再度印刷ジョブを受信しなくても、メモリに記憶した印刷データから再度同じ印刷を行なうことができる。しかも、本機で印刷ができると判定した印刷データだけをメモリに記憶するので、メモリの容量を節約することができる。
【００２３】
請求項５に記載の発明は、請求項３に記載の孔版印刷機において、前記第１の判定手段により本機で印刷ができると判定した前記印刷データを含む前記印刷ジョブを記憶する記憶手段と、前記メモリに記憶されている前記印刷ジョブについてユーザから印刷の実行の指示を受付ける第１の受付手段と、この指示を受付けたときは当該印刷データに基づく孔版印刷を前記印刷エンジンにより行なう印刷手段と、を備えている。
【００２４】
したがって、外部から再度印刷ジョブを送信しなくても、メモリに記憶した印刷データから再度同じ印刷を行なうことができる。しかも、最低限必要な印刷データだけが送信されるので、送信の際のネットワークトラフィックを低減させることができる。
【００２５】
請求項６に記載の発明は、請求項４に記載の孔版印刷機において、前記メモリに記憶されている前記印刷データについてユーザから他の孔版印刷機を指定して出力する指示を受付ける第２の受付手段と、この指示を受付けたときは当該印刷データを前記指定された孔版印刷機に出力する送信手段と、を備えている。
【００２６】
したがって、外部から再度印刷ジョブを送信しなくても、他の孔版印刷機で再度同じ印刷を行なうことができる。
【００２７】
請求項７に記載の発明は、請求項５に記載の孔版印刷機において、前記メモリに記憶されている前記印刷ジョブについてユーザから他の孔版印刷機を指定して出力する指示を受付ける第２の受付手段と、この指示を受付けたときは当該印刷ジョブを前記指定された孔版印刷機に出力する送信手段と、を備えている。
【００２８】
したがって、外部から再度印刷ジョブを送信しなくても、他の孔版印刷機で再度同じ印刷を行なうことができる。しかも、複数の印刷データを含む印刷ジョブを送信するので、相手孔版印刷機において適合する印刷データを選択して用いることができるので、適切なプリンタドライバをユーザが選択する煩雑さがなく、双方向インターフェイスを用いることなく、美しい画像を作成することができる。
【００２９】
請求項８に記載の発明は、請求項７に記載の孔版印刷機において、前記第２の受付手段は、孔版印刷機の機種を示す識別情報である機種識別ＩＤの指定も受付けるものであり、前記送信手段は、前記印刷ジョブの出力に代えて当該印刷ジョブ中で前記機種ＩＤにより指定された印刷データを前記指定された孔版印刷機に出力する。
【００３０】
したがって、最低限必要な印刷データだけが送信されるので、送信の際のネットワークトラフィックを低減させることができる。
【００３１】
請求項９に記載の発明は、請求項５に記載の孔版印刷機において、前記メモリに記憶されている前記印刷ジョブについて、孔版印刷機の機種を示す識別情報である機種識別ＩＤ及び印刷ジョブを識別する識別情報であるジョブＩＤを指定して、ユーザから他の孔版印刷機を指定して出力する指示を受付ける第２の受付手段と、この指示を受付けたときは前記メモリに記憶されている前記各印刷ジョブのうち前記機種識別ＩＤ及びジョブＩＤが付されている印刷データを前記指定された孔版印刷機に出力する送信手段と、を備えている。
【００３２】
したがって、ユーザが選択した印刷ジョブの、ユーザが選択した機種の印刷データが選択されて送信されるので、送信の際のネットワークトラフィックを低減させることができる。
【００３３】
請求項１０に記載の発明は、請求項１又は２に記載の情報処理装置と、この情報処理装置とネットワークで接続されている請求項３〜８の何れかの一に記載の孔版印刷機と、を備えている印刷システムである。
【００３４】
したがって、請求項１〜８の何れかの発明と同様の作用、効果を奏する。
【００３５】
請求項１１に記載の発明は、請求項２に記載の情報処理装置と、この情報処理装置とネットワークで接続されている請求項９に記載の孔版印刷機と、を備えている印刷システムである。
【００３６】
したがって、請求項２，９の発明と同様の作用、効果を奏する。
【００３７】
請求項１２に記載の発明は、ユーザからの印刷ジョブの実行の要求があったときは、異なる孔版印刷機に各々対応している複数のプリンタドライバに印刷ジョブを発行させる印刷ジョブ発行処理と、この各プリンタドライバが発行した印刷ジョブの印刷データに対して、その各印刷ジョブを発行した前記プリンタドライバが対応している前記孔版印刷機の機種を示す識別情報である機種識別ＩＤを付して、この各印刷データを一つの印刷ジョブに結合する結合処理と、をコンピュータに実行させるコンピュータに読取り可能なプログラムである。
【００３８】
したがって、結合した印刷ジョブを孔版印刷機に送信すれば、その孔版印刷機に適合した印刷データを孔版印刷機側で選択して用いることができるので、適切なプリンタドライバをユーザが選択する煩雑さがなく、双方向インターフェイスを用いることなく、美しい画像を作成することができる。
【００３９】
請求項１３に記載の発明は、請求項１２に記載のプログラムにおいて、前記結合処理は、前記結合してなる一つの印刷ジョブに対し、当該印刷ジョブを識別する識別情報であるジョブＩＤも付するものである。
【００４０】
したがって、各印刷ジョブをジョブＩＤで識別することができる。
【００４１】
【発明の実施の形態】
［発明の実施の形態１］
本発明の一実施の形態について説明する。
【００４２】
図１は、本実施の形態の印刷システムの全体構成を示すブロック図である。図１に示すように、このシステムは、本発明の情報処理装置を実施する１又は複数台のパーソナルコンピュータ（ＰＣ）１と、このＰＣ１とネットワーク（ＬＡＮ）２を介して接続されている１又は複数台の孔版印刷機３とからなる。
【００４３】
ＰＣ１は、各種演算を行ない、ＰＣ１の各部を集中的に制御するＣＰＵ１１と、各種のＲＯＭやＲＡＭからなるメモリ１２とが、バス１３で接続されている。
【００４４】
バス１３には、所定のインターフェイスを介して、ハードディスクなどの磁気記憶装置１４と、マウスやキーボードなどで構成される入力装置１５と、ＬＣＤやＣＲＴなどの表示装置１６と、光ディスクなどの記憶媒体１７を読取る記憶媒体読取装置１８とが接続され、また、ＬＡＮ２やインターネットなどのネットワークと通信を行なう所定の通信インターフェイス２０が接続されている。なお、記憶媒体１７としては、ＣＤやＤＶＤなどの光ディスク、光磁気ディスク、フレキシブルディスクなどの各種方式のメディアを用いることができる。また、記憶媒体読取装置１８は、具体的には記憶媒体１７の種類に応じて光ディスクドライブ、光磁気ディスクドライブ、フレキシブルディスクドライブなどが用いられる。
【００４５】
磁気記憶装置１４には、この発明のプログラムを実現するプリンタドライバソフトが記憶されている。このプリンタドライバソフトは、記憶媒体１７から記憶媒体読取装置１８により読取るか、あるいは、インターネットなどのネットワークからダウンロードするなどして、磁気記憶装置１４にインストールしたものである。なお、このプリンタドライバソフトは、Ｗｉｎｄｏｗｓ（「Ｗｉｎｄｏｗｓ」はマイクロソフト社の商標である）をＯＳとして動作する例で、以下では説明する。
【００４６】
図２は、ＰＣ１における各ソフトウエアの関係を示す機能ブロック図である。図２を参照し、図３のフローチャートに基づいてＰＣ１の動作について説明する。アプリケーション２１は、Ｗｉｎｄｏｗｓ上で動作するワードプロセッサその他のアプリケーションソフトであり、ユーザがそのアプリケーション２１で作成等したデータについて、アプリケーション２１上で印刷要求を行なうと（ステップＳ１のＹ）、アプリケーション２１はＧＤＩ（Ｇｒａｐｈｉｃｓ  Ｄｅｖｉｃｅ  Ｉｎｔｅｒｆａｃｅ）２２に対して印刷要求を行なう（ステップＳ２）。すると、ＧＤＩ２２は仮想プリンタドライバ２３との間で印刷ジョブの処理を行なう（ステップＳ３，Ｓ４）。すなわち、この仮想プリンタドライバ２３は、前述のプリンタドライバソフトであり、ページバッファ２４に画像データを作成する（ステップＳ３）。仮想プリンタドライバ２３は、その登録されている複数のプリンタドライバ２５〜２７の全てに印刷ジョブを発行可能であり、プリンタドライバ２５〜２７を順次切換えながら、ページバッファ２４に作成した画像データをもとに、印刷ジョブを発行して、印刷ジョブ発行手段、印刷ジョブ発行処理を実現する（ステップＳ４）。これにより、同一の画像データから異なる複数のプリンタドライバ２５〜２７により夫々印刷データが作成されることになる。そして、スプーラ（Ｓｐｏｏｌｅｒ）２８は、前述のプリンタドライバソフトにより実現され、これらの印刷データを連結して単一の印刷ジョブとし、時系列的に特定の物理ポートに出力することで、結合手段、結合処理を実現している（ステップＳ５）。
【００４７】
図４は、スプーラ２８が出力する印刷ジョブ３１のデータ構成を説明する説明図である。すなわち、印刷ジョブ３１は、各プリンタドライバ２５〜２７が作成した印刷データ３２〜３４を含み、この各印刷データ３２〜３４の先頭には、それぞれ、機種種別ＩＤ３２ａ〜３４ａがステップＳ４において付されている。印刷データ３２〜３４は、それぞれ特定の機種の孔版印刷機３用の印刷データであり、機種種別ＩＤ３２ａ〜３４ａは、その印刷データに対応している孔版印刷機３を識別する識別情報である。図４の例では、印刷データ３２〜３４は、それぞれ、Ａ０３００，Ａ０４００，Ａ０６００という機種に対応している。
【００４８】
図５は、孔版印刷機３における処理内容を説明する機能ブロック図である。図５を参照し、図６のフローチャートに基づいて孔版印刷機３の動作について説明する。すなわち、孔版印刷機３では、ポートに有効な信号が入力したことを検知する入力セレクタ部４１で、ＰＣ１から印刷ジョブ３１を受けると（ステップＳ１１のＹ）、識別コード判定部４２で、各印刷データ３２〜３４の先頭にある機種種別ＩＤ３２ａ〜３４ａが、自機の機種を示すものか否かを判断し、第１の判定手段を実現する（ステップＳ１２）。すなわち、適合するものがないときは（ステップＳ１２のＮ）、ジョブエンドまでのデータを読み捨てる（ステップＳ１３）。適合するものがあるときは（ステップＳ１２のＹ）、ジョブエンドまでのデータを受信し（ステップＳ１４）、画像データ展開部４３へ送出する（ステップＳ１５）。画像データ展開部４３は、画像データを展開して（ステップＳ１６）、展開した画像データを印刷エンジン４４に送る（ステップＳ１７）。印刷エンジンは画像の製版、印刷を行ない、孔版印刷方式で画像の形成を実行する（ステップＳ１８）。
【００４９】
［発明の実施の形態２］
別の実施の形態について説明する。
【００５０】
以下の説明で、発明の実施の形態１と共通する構成要素については発明の実施の形態１の場合と同様の符号を付し、詳細な説明は省略する。
【００５１】
図７は、ＰＣ１における各ソフトウエアの関係を示す機能ブロック図であり、図８は、この場合のＰＣ１の実行する処理を示すフローチャートである。図７において、実施の形態１の図２の構成と相違するのは、仮想プリンタドライバ２３がジョブＩＤ設定部５１を備えている点である。そして、図８の処理が図３の処理と相違する点は、ジョブＩＤ設定部５１は、印刷ジョブ３１に含まれる各印刷ジョブの印刷データ３２〜３４に、印刷ジョブを識別するジョブＩＤ５２（図９参照）を付加することである（ステップＳ４）。
【００５２】
図９は、このようにして作成された印刷ジョブ３１のデータ構成を示す説明図である。印刷ジョブ３１中の各印刷ジョブは、各印刷データ３２〜３４に対して、機種種別ＩＤ３２ａ〜３４ａの他、ジョブＩＤ５２がそれぞれ付加されている。図９では、２つの印刷ジョブ３１を示しているが、この例では、上段の印刷ジョブ３１のジョブＩＤ５２は１００であり、下段の印刷ジョブ３１のジョブＩＤ５２は１０１である。
【００５３】
図１０は、孔版印刷機３における処理内容を説明する機能ブロック図であり、図１１、図１２は、孔版印刷機３の動作について説明するフローチャートである。図１０の構成が図５と相違するのは、ジョブＩＤ判定部５３、画像メモリ５４、ジョブデータ選択部５５を備えている点である。
【００５４】
そして、図１１の処理では、ステップＳ１４でジョブエンドまでのデータを受信したときは（ステップＳ２１のＹ）、そのデータをジョブＩＤ判定部５３で判定し、ジョブＩＤ５２が付与されているときは（ステップＳ２２のＹ）、そのジョブＩＤ５２をラベルとして当該印刷データ３２，３３又は３４を画像メモリ５４に記憶して、記憶手段を実現する（ステップＳ２３）。
【００５５】
孔版印刷機３の操作パネルでは、ジョブＩＤ５２等をラベルとして画像メモリ５４に記憶されているデータを確認することができる。そして、図１２に示すように、その中から所望の印刷ジョブ３１を選択すると（ステップＳ２４のＹ）、選択した印刷ジョブ３１をジョブデータ選択部５５で画像メモリ５４から呼び出し（ステップＳ２５）、画像データ展開部４３へ送出する（ステップＳ２６）。ステップＳ２４により第１の受付手段を実現する。画像データ展開部４３は、画像データを展開して（ステップＳ２７）、展開した画像データを印刷エンジン４４に送る（ステップＳ２８）。印刷エンジンは画像の製版、印刷を行ない、孔版印刷方式で画像の形成を実行する（ステップＳ２９）。ステップＳ２９により印刷手段を実現する。
【００５６】
［発明の実施の形態３］
別の実施の形態について説明する。
【００５７】
以下の説明で、発明の実施の形態２と共通する構成要素については発明の実施の形態２の場合と同様の符号を付し、詳細な説明は省略する。
【００５８】
図１３は、孔版印刷機３における処理内容を説明する機能ブロック図であり、図１４は、孔版印刷機３の動作について説明するフローチャートである。図１３の構成が図１０と相違するのは、出力先設定部６１、ジョブデータ出力部６２を備えている点である。
【００５９】
この実施の形態３では、図１２の処理のほかに図１４の処理を実行可能である。そして、図１４の処理は、ユーザが画像メモリ５４の印刷ジョブ３１の中から所望のものを選択して、他の所望の孔版印刷機３に印刷ジョブを出力することを指示したときは（ステップＳ３１のＹ）、ジョブデータ出力部６２は、ネットワーク２を介して設定された出力先の孔版印刷機３のアドレスを指定して、その孔版印刷機３に印刷データを送信する（ステップＳ３２）。ステップＳ３１により第２の受付手段を、ステップＳ３２により送信手段を実現している。
【００６０】
図１５は、この場合のシステム全体の構成図であるが、ＰＣ１から♯１の孔版印刷機３に印刷ジョブが出力されたとすると、この♯１の孔版印刷機３から♯２の孔版印刷機３に印刷ジョブを出力することができる。
【００６１】
なお、発明の実施の形態２，３においては、印刷データ３２〜３４のうち当該孔版印刷機３の機種に適合するものだけを画像メモリ５４に記憶してもよいし、印刷データ３２〜３４のすべてを画像メモリ５４に記憶してもよい。
【００６２】
前者の場合は、画像メモリ５４の容量を節約することができる。
【００６３】
後者の場合には、印刷データ３２〜３４とともに機種種別ＩＤ３２ａ〜３４ａも画像メモリ５４に記憶し、ステップＳ３２では、単一の印刷ジョブ３１をなしていたこれらのデータを全て相手の孔版印刷機３に送信するようにすれば、その孔版印刷機３において、印刷データ３２〜３４からその機種に適合するものを判定して、印刷を行なうことができる。
【００６４】
また、後者の場合、図１４の処理に代えて図１６の処理を行ってもよい。すなわち、図１６に示すように、ステップＳ３１において、ユーザは出力先設定部６１で、印刷データの出力先の他、機種種別ＩＤ３２ａ〜３４ａの別を指定できるようにしてもよい。この場合は（ステップＳ３１のＹ）、ジョブデータ出力部６２は、選択した印刷ジョブ３１のデータ中で、ステップＳ３１で指定した機種種別ＩＤ３２ａ，３３ａ又は３４ａの印刷データ３２，３３又は３４のデータのみを、指定された出力先の孔版印刷機３のアドレスを指定して、その孔版印刷機３に印刷データを送信する（ステップＳ３２）。ステップＳ３１により第２の受付手段を、ステップＳ３２により送信手段を実現している。
【００６５】
さらに、図１４の処理に代えて図１７の処理を行ってもよい。すなわち、図１７に示すように、ユーザは、ステップＳ３１において、出力先設定部６１で、ジョブＩＤ５２と機種種別ＩＤ３２ａ〜３４ａの別を指定できるようにする。この指定があった場合は（ステップＳ３１のＹ）、出力先設定部６１で指定したジョブＩＤ５２と機種種別ＩＤ３２ａ，３３ａ又は３４ａとが付された印刷データ３２，３３又は３４を画像メモリ５４の各印刷ジョブ３１中から選択し、そのデータをジョブデータ出力部６２で出力する（ステップＳ３２）。ステップＳ３１により第２の受付手段と、ステップＳ３２により送信手段を実現している。
【００６６】
【発明の効果】
請求項１，１２に記載の発明は、結合した印刷ジョブを孔版印刷機に送信すれば、その孔版印刷機に適合した印刷データを孔版印刷機側で選択して用いることができるので、適切なプリンタドライバをユーザが選択する煩雑さがなく、双方向インターフェイスを用いることなく、美しい画像を作成することができる。
【００６７】
請求項２，１３に記載の発明は、請求項１，１２に記載の発明において、各印刷ジョブをジョブＩＤで識別することができる。
【００６８】
請求項３に記載の発明は、印刷ジョブから、本機に適合した印刷データを選択して用いることができるので、適切なプリンタドライバをユーザが選択する煩雑さがなく、双方向インターフェイスを用いることなく、美しい画像を作成することができる。
【００６９】
請求項４に記載の発明は、請求項３に記載の発明において、外部から再度印刷ジョブを受信しなくても、メモリに記憶した印刷データから再度同じ印刷を行なうことができる。しかも、本機で印刷ができると判定した印刷データだけをメモリに記憶するので、メモリの容量を節約することができる。
【００７０】
請求項５に記載の発明は、請求項３に記載の発明において、外部から再度印刷ジョブを送信しなくても、メモリに記憶した印刷データから再度同じ印刷を行なうことができる。しかも、最低限必要な印刷データだけが送信されるので、送信の際のネットワークトラフィックを低減させることができる。
【００７１】
請求項６に記載の発明は、請求項４に記載の発明において、外部から再度印刷ジョブを送信しなくても、他の孔版印刷機で再度同じ印刷を行なうことができる。
【００７２】
請求項７に記載の発明は、請求項５に記載の発明において、外部から再度印刷ジョブを送信しなくても、他の孔版印刷機で再度同じ印刷を行なうことができる。しかも、複数の印刷データを含む印刷ジョブを送信するので、相手孔版印刷機において適合する印刷データを選択して用いることができるので、適切なプリンタドライバをユーザが選択する煩雑さがなく、双方向インターフェイスを用いることなく、美しい画像を作成することができる。
【００７３】
請求項８に記載の発明は、請求項７に記載の発明において、最低限必要な印刷データだけが送信されるので、送信の際のネットワークトラフィックを低減させることができる。
【００７４】
請求項９に記載の発明は、請求項５に記載の発明において、ユーザが選択した印刷ジョブの、ユーザが選択した機種の印刷データが選択されて送信されるので、送信の際のネットワークトラフィックを低減させることができる。
【００７５】
請求項１０に記載の発明は、請求項１〜８の何れかの発明と同様の作用、効果を奏する。
【００７６】
請求項１１に記載の発明は、請求項２，９の発明と同様の作用、効果を奏する。
【図面の簡単な説明】
【図１】本発明の実施の形態１である印刷システムの全体構成のブロック図である。
【図２】ＰＣにおける各ソフトウエアの関係を説明するブロック図である。
【図３】ＰＣが行なう処理のフローチャートである。
【図４】印刷ジョブのデータ構成を示す説明図である。
【図５】孔版印刷機における処理を説明する機能ブロック図である。
【図６】孔版印刷機における処理を説明する機能ブロック図である。
【図７】発明の実施の形態２でＰＣにおける各ソフトウエアの関係を説明するブロック図である。
【図８】ＰＣが行なう処理のフローチャートである。
【図９】印刷ジョブのデータ構成を示す説明図である。
【図１０】各ソフトウエアの関係を説明するブロック図である。
【図１１】孔版印刷機における処理を説明する機能ブロック図である。
【図１２】孔版印刷機における処理を説明する機能ブロック図である。
【図１３】発明の実施の形態３でＰＣにおける各ソフトウエアの関係を説明するブロック図である。
【図１４】孔版印刷機における処理を説明する機能ブロック図である。
【図１５】印刷システムの全体構成のブロック図である。
【図１６】孔版印刷機における処理の他の例を説明する機能ブロック図である。
【図１７】孔版印刷機における処理の他の例を説明する機能ブロック図である。
【符号の説明】
１      情報処理装置
３      孔版印刷機
４４    印刷エンジン
【図１】
2004152208.tif 000003
【図２】
2004152208.tif 000004
【図３】
2004152208.tif 000005
【図４】
2004152208.tif 000006
【図５】
2004152208.tif 000007
【図６】
2004152208.tif 000008
【図７】
2004152208.tif 000009
【図８】
2004152208.tif 000010
【図９】
2004152208.tif 000011
【図１０】
2004152208.tif 000012
【図１１】
2004152208.tif 000013
【図１２】
2004152208.tif 000014
【図１３】
2004152208.tif 000015
【図１４】
2004152208.tif 000016
【図１５】
2004152208.tif 000017
【図１６】
2004152208.tif 000018
【図１７】
2004152208.tif 000019